(57)【要約】      （修正有）【課題】トイレットペーパー使用時（引き出し回転時）に、トイレットペーパーの厚紙芯の一部のゆがみやトイレットペーパー全体のゆがみにより発生する不快なカタカタ音を抑制できる器具を提供する。【解決手段】厚紙芯に内接するように、両端開口部が厚紙芯の直径よりもやや小さめで中央部分にくびれを設けた器具を、あらかじめトイレットペーパーの厚紙芯の空洞部に新たなトイレットペーパーの芯として挿入することにより、ペーパー引き出し回転時の回転がスムーズとなり、トイレットペーパーとトイレットペーパーホルダーとの間に発生する異音を減少させることができる。【選択図】図４
2020065891.tif 000002
【特許請求の範囲】
【請求項１】
あらかじめトイレットペーパーの厚紙芯の空洞部に新たなトイレットペーパーの芯として挿入することにより、トイレットペーパー引き出し時のトイレットペーパーとトイレットペーパーホルダーとの間に発生する異音を減少させる異音減少器具。
【請求項２】
請求項１に記載の異音減少器具は、
変形しにくいプラスチック等の材質でできており、トイレットペーパー厚紙芯の空洞部に密着挿入できるように、トイレットペーパー厚紙芯内径とほぼ同等の外径で、空洞を持った円筒形であり、その両端の開口部は、円筒の両端を厚紙芯空洞内径よりやや小さめの円形になるように徐々に細くなるように変形させていることを特徴とする。
【請求項３】
請求項２に記載の異音減少器具は、
トイレットペーパー厚紙芯の空洞部に挿入する際、トイレットペーパー厚紙芯と本器具との間で生じる摩擦を少なくさせ挿入をしやすくする目的で、本器具の両端以外の一部の内径において、厚紙芯の内径より小さく、本器具の両端の内径より大きな内径であることを特徴とする。
【発明の詳細な説明】
【技術分野】
【０００１】  本発明は、トイレットペーパー（以後、ペーパー）とトイレットペーパーホルダー（以後、ペーパーホルダー）との間で発生する不快な異音を減少させる目的で、ペーパー厚紙芯の空洞部に挿入装着する器具に関するものである。
【背景技術】
【０００２】  一般家庭や公共施設などのトイレ内において、ペーパーホルダーにセットされたペーパー使用時（引き出し回転時）に、ペーパーの厚紙芯の一部のゆがみやペーパー全体のゆがみにより不快なカタカタ音が発生することがよくある。【０００３】  このカタカタ音の発生要因を図１及び図２で説明する。図１に示す一般的な既存のペーパーホルダーは、ペーパーカバー１、ペーパーホルダー芯２から構成されており、ペーパー厚紙芯３を内蔵したペーパー４をペーパーホルダー芯２に挿入して使用する。【０００４】  ここで、ペーパーの製造過程、梱包や輸送課程において、図２（Ａ）に示す厚紙芯の一部ゆがみ５や図２（Ｂ）に示すペーパーが多少つぶれることによる厚紙芯の楕円体への変形６が生じることがよくある。これらを要因としてペーパー引き出し回転時に、ペーパーホルダー芯とペーパー厚紙芯との間、ペーパーカバーとペーパーとの間でカタカタ音が発生していた。
【先行技術文献】
【特許文献】
【０００５】
【特許文献１】特開２０１１−６２４８７
【発明の概要】
【発明が解決しようとする課題】
【０００６】  上記のカタカタ音を減少させることを目的とした技術として特開２０１１−６２４８７がある。これは、ペーパーホルダー芯とペーパー厚紙芯との間の空間を埋めるものであるが、ペーパーホルダー芯に固定する必要があり、様々な形状のペーパーホルダーに対応するのは困難であった。
【課題を解決するための手段】
【０００７】  そこで、あらかじめペーパーの厚紙芯の空洞部に新たなペーパーの芯として本発明を施した器具を挿入することにより、ペーパー引き出し時のペーパーとペーパーホルダーとの間に発生する異音を減少させることができる。【０００８】  本発明器具は、変形しにくい素材（プラスチック樹脂系やアルミニュームなどの金属系）で構成されるものであり、形状はペーパー厚紙芯の空洞部に密着挿入できるように、日本工業規格に定められている（ＪＩＳＰ４５０１）ペーパーの芯の径（内径）３８ｍｍ±１ｍｍとほぼ同等の外径の空洞を持った円筒形である。さらに、その両端の開口部は、ペーパー厚紙芯の空洞部に挿入しやすくする目的で、円筒の両端を厚紙芯空洞内径よりやや小さめの円形になるように徐々に細くなるように変形させている。【０００９】  また、変形しにくい素材で構成されているため、開口端は正円でありペーパーホルダー芯との接触においてスムーズな回転となる。また、両端がやや小さめの円形であることは、ペーパー厚紙芯の空洞部に挿入しやすいだけではなく、ペーパーホルダー芯との接触が直線接触から点接触となるため、さらなる回転時の音を減少させる効果をもたらす。【００１０】  図３は本発明のペーパー異音減少器具７であるが、正円である開口部８の直径１０は器具７本体の直径９（日本工業規格に定められているペーパーの芯の径（内径）とほぼ同等）よりやや小さめとなっている。その開口部の直径１０は本体直径９の９割程度が望ましい。９割程度であれば本来のペーパー厚紙芯と同様に様々な形状のペーパーホルダーに対応できる。【００１１】  さらに、ペーパー厚紙芯の空洞部に挿入する際、ペーパー厚紙芯と本器具との間で生じる摩擦を少なくさせ挿入をしやすくする目的で、本器具の両端以外の一部の内径において、厚紙芯の内径より小さく、本器具の両端の内径より大きな内径とすることにより挿入が容易となる。これらを図４で説明する。【００１２】  図４において、本体１１にくびれ部分１６を設けることにより本体１１を厚紙芯に挿入する際、本体と厚紙芯との接触は接触部分１７と１８となり挿入時の摩擦抵抗が小さくなり挿入が容易となる。【００１３】  また、くびれ部分１６の直径１５は、日本工業規格に定められているペーパーの芯の径とほぼ同等の直径１３よりも小さく、本体開口部１２の直径１４よりも大きくすることによりペーパーホルダー芯２との接触は点であることを保持できる。
【発明の効果】
【００１４】  ゆがんだ厚紙芯の代わりに本発明器具が新しいペーパー芯となるため、回転がスムーズとなりホルダー芯との間のカタカタ音が減少する。また、ペーパー全体を正円柱に矯正するため、ペーパーカバーとの間のカタカタ音が減少する。さらに、厚紙芯がゆがんでなくてもペーパーとホルダー芯との接触が線から点となるためカタカタ音が減少する。
【図面の簡単な説明】
【００１５】
【図１】既存のペーパーホルダー
【図２】不快なカタカタ音の発生要因を示す図
【図３】ペーパー異音減少器具
【図４】くびれ付きペーパー異音減少器具
【図５】使用例
【発明を実施するための形態】
【００１６】  変形しにくい素材（プラスチック樹脂系やアルミニュームなどの金属系）で構成されるものであり、形状はペーパー厚紙芯の空洞部に密着挿入できるように、ペーパーの芯の径（内径）とほぼ同等の外径の空洞を持った円筒形である。さらに、その円筒の両端は厚紙芯空洞内径よりやや小さめの円形に変形させている。これをペーパー厚紙芯に内装して使用する。
【実施例】
【００１７】  使用例として図５に示すように、本発明を施した器具１１を既存のペーパー４のペーパー厚紙芯３の内部に挿入装着し、通常通りに図１のペーパーホルダーにセットする。
【符号の説明】
【００１８】１：ペーパーカバー
２：ペーパーホルダー芯
３：ペーパー厚紙芯
４：ペーパー
５：厚紙芯のゆがみ
６：厚紙芯の楕円体への変形
７：ペーパー異音減少器具
８：本体開口部
９：ペーパー厚紙芯の内径とほぼ同等の直径
１０：開口部の直径
１１：くびれを持ったペーパー異音減少器具
１２：本体開口部
１３：ペーパー厚紙芯の内径とほぼ同等の直径
１４：開口部の直径
１５：くびれ部分の直径
１６：くびれ部分
１７、１８：厚紙芯との接触部分
【図１】
2020065891.tif 000003
【図２】
2020065891.tif 000004
【図３】
2020065891.tif 000005
【図４】
2020065891.tif 000006
【図５】
2020065891.tif 000007